(57)【要約】【課題】封入式遊技機において、球タンクの遊技球を整列させて流下させるための誘導樋を不要とすること。【解決手段】封入式遊技機用の球タンク２３の内部では、前側の壁面２３ｃから後側の壁面２３ｄに向けて多数の仕切り板２３ｅが延出するとともに、後側の壁面２３ｄから前側の壁面２３ｃに向けて多数の仕切り板２３ｆが延出し、前側の仕切り板２３ｅと後側の仕切り板２３ｆとが左右方向に交互に配置されている。これにより、球タンク２３の内部に一条の誘導通路２３ｇが形成されている。この誘導通路２３ｇは、遊技球が一列に整列する状態で通過可能な筒状になっている。また、誘導通路２３ｇの底面２３ｈは、受入口２３ａ近傍から排出口２３ｂ近傍に向けて、緩やかな傾斜面となっている。【選択図】図３
2016198381.tif 000002
【特許請求の範囲】
【請求項１】
内部に封入された遊技球を遊技盤と前記遊技盤の前方に配された透明板との間に形成される遊技領域に投入して遊技を行い、遊技を終えた遊技球を回収して循環使用する封入式遊技機に用いられ、前記遊技領域に投入される遊技球を一時貯留する封入式遊技機用の球タンクにおいて、
前記遊技領域に投入される遊技球を一列に整列された状態で受け入れる受入口と、
遊技球を一列に整列された状態で排出する排出口と、
遊技球が一列に整列する状態で通過可能な筒状または樋状であり、前記受入口と前記排出口とを連結し、前記受入口から受け入れた遊技球を一列に整列させた状態で前記排出口まで誘導する誘導通路と、を備えること
を特徴とする封入式遊技機用の球タンク。
【請求項２】
請求項１に記載の封入式遊技機用の球タンクにおいて、
略直方体の箱形状を有し、
内部において、一方側の壁面から他方側の壁面に向けて多数の仕切り板が延出し、他方側の壁面から一方側の壁面に向けて多数の仕切り板が延出し、一方側の仕切り板と他方側の仕切り板とが左右方向に交互に配置されることで前記誘導通路が形成されていること
を特徴とする封入式遊技機用の球タンク。
【請求項３】
内部に封入された遊技球を遊技盤と前記遊技盤の前方に配された透明板との間に形成される遊技領域に投入して遊技を行い、遊技を終えた遊技球を回収して循環使用する封入式遊技機において、
前記遊技領域に投入される遊技球を一時貯留する請求項１または請求項２に記載の封入式遊技機用の球タンクを備えること
を特徴とする封入式遊技機。
【発明の詳細な説明】
【技術分野】
【０００１】
本発明は、封入式遊技機において、球タンクの遊技球を整列させて流下させるための誘導樋を不要とする技術に関する。
【背景技術】
【０００２】
特許文献１には、封入式遊技機において、揚送機によって供給されるパチンコ玉を一時貯留する上部タンクを備える点が記載されている。
【先行技術文献】
【特許文献】
【０００３】
【特許文献１】特開２０００−１４４０７３号公報
【発明の概要】
【発明が解決しようとする課題】
【０００４】
しかし、特許文献１に記載の封入式遊技機においては、上部タンクのパチンコ玉を整列させて流下させるための誘導樋が必要となっていた。しかも、パチンコ玉を整列させて流下させるためには誘導樋にある程度の長さが必要であり、このような誘導樋を備えるためにはその分のスペースを封入式遊技機内に確保する必要があった。
【０００５】
本発明は、このような課題に鑑みなされたものであり、その目的とするところは、封入式遊技機において、球タンクの遊技球を整列させて流下させるための誘導樋を不要とする技術を提供することにある。
【課題を解決するための手段】
【０００６】
上記課題を解決するためになされた請求項１に係る封入式遊技機用の球タンクは、内部に封入された遊技球を遊技盤と前記遊技盤の前方に配された透明板との間に形成される遊技領域に投入して遊技を行い、遊技を終えた遊技球を回収して循環使用する封入式遊技機に用いられ、前記遊技領域に投入される遊技球を一時貯留する封入式遊技機用の球タンクにおいて、前記遊技領域に投入される遊技球を一列に整列された状態で受け入れる受入口と、遊技球を一列に整列された状態で排出する排出口と、遊技球が一列に整列する状態で通過可能な筒状または樋状であり、前記受入口と前記排出口とを連結し、前記受入口から受け入れた遊技球を一列に整列させた状態で前記排出口まで誘導する誘導通路と、を備えることを特徴とする。
【０００７】
このように構成された本発明の封入式遊技機用の球タンクによれば、受入口から受け入れた遊技球を一列に整列させた状態で排出口まで誘導するように構成されているので、従来構成の封入式遊技機が備えるような、球タンクの遊技球を整列させて流下させるための誘導樋が不要となる。そして、誘導樋を設置するためのスペースを封入式遊技機内に確保する必要もなくなる。
【０００８】
この場合、請求項２のように、略直方体の箱形状を有し、内部において、一方側の壁面から他方側の壁面に向けて多数の仕切り板が延出し、他方側の壁面から一方側の壁面に向けて多数の仕切り板が延出し、一方側の仕切り板と他方側の仕切り板とが左右方向に交互に配置されることで前記誘導通路が形成されていることが好ましい。
【０００９】
なお、本発明は、上述のような封入式遊技機用の球タンクを備える封入式遊技機としても実現可能である。具体的には、請求項３に係る封入式遊技機は、内部に封入された遊技球を遊技盤と前記遊技盤の前方に配された透明板との間に形成される遊技領域に投入して遊技を行い、遊技を終えた遊技球を回収して循環使用する封入式遊技機において、前記遊技領域に投入される遊技球を一時貯留する請求項１または請求項２に記載の封入式遊技機用の球タンクを備えることを特徴とする。
【図面の簡単な説明】
【００１０】
【図１】実施形態のパチンコ機１の正面図である。
【図２】実施形態のパチンコ機１の内観図である。
【図３】実施形態の球タンク２３の説明図である。
【発明を実施するための形態】
【００１１】
以下に本発明の実施形態を図面とともに説明する。なお、本発明はこの実施形態に限定されるものではなく、様々な態様にて実施することが可能である。
図１に示すように、弾球遊技機の一種であるパチンコ機１の前面部には、盤面窓枠２が配されている。
【００１２】
盤面窓枠２は、外枠３に保持された中枠４に取り付けられている。より具体的には、盤面窓枠２はヒンジ５ａ，５ｂにて中枠４に軸支され、扉状に開閉できる。また、盤面窓枠２にはハンドル２ｃが取り付けられている。
【００１３】
また、盤面窓枠２には窓７が設けられ、その周辺に電飾８が配されている。また、盤面窓枠２には、窓７を閉塞するためのガラス板７ａが窓７の背後に装着される。そして、盤面窓枠２の背後の窓７に臨んだ位置には、中枠に保持された遊技盤９が配されている。
【００１４】
遊技盤９は、透明な合成樹脂（本実施例ではポリカーボネート）製である。この遊技盤９には、ガイドレール１１、複合入賞装置１２、ゲート１３、大入賞口１４、普通入賞口１５、庇部材１６、ステージ１７等が取り付けられ、遊技釘１８や風車１９が打ち付けられている。また、遊技盤９の下部には、アウト球となった遊技球を遊技盤９の裏側に誘導するための開口部９ａと、開口部９ａから遊技盤９の裏側に誘導された遊技球を遊技盤９の表側に再び誘導する開口部９ｂとが形成されている（図２参照）。
【００１５】
複合入賞装置１２は、可変入賞装置１２ａおよび始動入賞口１２ｂを備え、可変入賞装置１２ａまたは始動入賞口１２ｂに入賞した場合には大当たり抽選が行われ、これに応じて表示装置（図示省略）にて図柄の変動表示がなされる。大当たり抽選が当たりであれば、図柄の変動表示に続いて表示装置にて大当たり図柄の確定表示が行われる。その大当たり図柄の確定表示がなされると大当たり遊技の開始となって大入賞口１４が開放される。
【００１６】
また、可変入賞装置１２ａが閉鎖状態（図示の状態）にあるときには、可変入賞装置１２ａの上方にある始動入賞口１２ｂによって可変入賞装置１２ａへの入賞を阻まれる（可変入賞装置１２ａへは、開放時しか入賞できない）。この可変入賞装置１２ａは、その左右に配されているゲート１３に遊技球が進入したことに起因する抽選で当たりになると開放される。
【００１７】
また、庇部材１６とステージ１７とに挟まれた主表示領域２０には、遊技釘１８が打ち付けられておらず、他の装置類も配されていない。この主表示領域２０は、遊技盤９の背後に配された表示装置による図柄の変動表示や、背景画像やキャラクタ等の画像の表示を良好に視認させるための領域である。
【００１８】
ところで、パチンコ機１は、内部に封入された遊技球を遊技盤９と遊技盤９の前方に配されたガラス板７ａとの間に形成される遊技領域２１に投入して遊技を行い、遊技を終えた遊技球を回収して循環使用する機能を有している。
【００１９】
そのため、パチンコ機１は、図２に示すように、揚球装置２２、球タンク２３、リリース装置２４、などを備える。球タンク２３は、本発明の封入式遊技機用の球タンクの一例である。以下、順に説明する。
【００２０】
揚球装置２２は、正面から見て遊技盤９の左側に配置され、無端ベルト２２ａが上下のローラ２２ｂ，２２ｃに掛け渡されて正面から見て時計回りに循環するよう構成されている。そして、上下のローラ２２ｂ，２２ｃはそれぞれモータ（図示省略）により回転駆動される。
【００２１】
また、揚球装置２２はカバー２２ｄおよび誘導樋２２ｅを備える。カバー２２ｄは、上下のローラ２２ｂ，２２ｃに掛け渡された無端ベルト２２ａの周囲（遊技盤９側を除く）に、遊技球を挟むことが可能な距離を保ちながら配置されている。また、誘導樋２２ｅは、左下がりに傾斜する姿勢で遊技領域２１の下端に配置された樋であり、右端が開口部９ｂから排出された遊技球を受け止める位置に配置されるとともに、左端がカバー２２ｄの下端に接続する位置に配置されている。
【００２２】
そして、揚球装置２２においては、開口部９ｂから排出された遊技球を誘導樋２２ｅがカバー２２ｄの下端に誘導し、誘導された遊技球を回転する無端ベルト２２ａとカバー２２ｄとの間に挟んで回転させながら、遊技領域２１の上方へ移送するようになっている。
【００２３】
次に、本発明が適用された球タンク２３の構成について説明する。
球タンク２３は、揚球装置２２によって遊技領域２１の上方に移送された遊技球をリリース装置２４に供給する前に一時貯留するための構成である。
【００２４】
この球タンク２３は、図３に示すように、略直方体の箱形状を有する。また、球タンク２３は、内部が空洞になっている。
また、球タンク２３の左端上面には、揚球装置２２によって運び上げられた遊技球を受け入れるための開口である受入口２３ａが形成されている。受入口２３ａは、遊技球の直径寸法よりも若干大きく設定されている。また、球タンク２３の右端側面には、遊技球を排出するための開口である排出口２３ｂが形成されている。排出口２３ｂは、遊技球の直径寸法よりも若干大きく設定されている。
【００２５】
また、球タンク２３の内部では、前側の壁面２３ｃから後側の壁面２３ｄに向けて多数の仕切り板２３ｅが延出するとともに、後側の壁面２３ｄから前側の壁面２３ｃに向けて多数の仕切り板２３ｆが延出し、前側の仕切り板２３ｅと後側の仕切り板２３ｆとが左右方向に交互に配置されている。
【００２６】
なお、前側の仕切り板２３ｅと後側の仕切り板２３ｆとの間の左右方向の幅寸法は、遊技球の直径寸法よりも若干大きく設定されている。また、前側の仕切り板２３ｅと後側の壁面２３ｄとの間の前後方向の隙間寸法は、遊技球の直径寸法よりも若干大きく設定されている。また、後側の仕切り板２３ｆと前側の壁面２３ｃとの間の前後方向の隙間寸法は、遊技球の直径寸法よりも若干大きく設定されている。また、球タンク２３の内部の上下方向の高さ寸法は、遊技球の直径寸法よりも若干大きく設定されている。
【００２７】
以上のような構成により、球タンク２３の内部に一条の誘導通路２３ｇが形成されている。この誘導通路２３ｇは、遊技球が一列に整列する状態で通過可能な筒状になっている。また、誘導通路２３ｇの底面２３ｈは、受入口２３ａ近傍から排出口２３ｂ近傍に向けて、緩やかな傾斜面となっている。
【００２８】
図２に戻り、リリース装置２４は、リリース部材２４ａおよび可動樋２４ｂを備える。
リリース部材２４ａは、遊技球を係止可能な凹形状の部位を有し、凹状部分が排出口２３ｂに対向する位置となるよう配置されている。リリース部材２４ａは、回転軸２４ｂを中心に回動可能になっており、ハンドル２ｃのリリーススイッチ（図示省略）を操作すると、ソレノイド（図示省略）の往復動作により、凹状部分が排出口２３ｂに対向する際には排出口２３ｂから排出された遊技球を係止し、凹状部分が下方に向く際には遊技球を解放する動作を行うようになっている。なお、リリース部材２４ａは、リリーススイッチを操作しないときには、凹状部分が排出口２３ｂに対向する位置で停止する。
【００２９】
可動樋２４ｃは、左下がりに傾斜する姿勢でリリース部材２４ａの下方に配置された樋状の部材である。可動樋２４ｃは、回転軸２４ｄを中心に回動可能になっておる。ハンドル２ｃを時計回りに回すと可動樋２４ｃが時計回りに回動して傾斜が緩やかになり、ハンドル２ｃを反時計回りに回すと可動樋２４ｃが反時計回りに回動して傾斜が急になる。そして、可動樋２４ｃは、リリース部材２４ａから解放された遊技球を誘導して遊技領域２１に放出するが、可動樋２４ｃの傾斜によりリリース部材２４ａに解放された遊技球が遊技領域２１に至るまでの経路を変化させることができる。
【００３０】
このように本実施形態のパチンコ機１によれば、球タンク２３が、受入口２３ａから受け入れた遊技球を一列に整列させた状態で排出口２３ｂまで誘導するように構成されているので、従来構成の封入式遊技機が備えるような、球タンクの遊技球を整列させて流下させるための誘導樋が不要となる。そして、誘導樋を設置するためのスペースをパチンコ機１内に確保する必要もなくなる。
【００３１】
以上、本発明の一実施形態について説明したが、本発明は上記実施形態に限定されるものではなく、以下のような様々な態様にて実施することが可能である。
上記実施形態では、球タンク２３内部に形成される誘導通路２３ｇが筒状になっており、遊技球が一列に整列する状態で通過可能になっているが、これには限られず、例えば、球タンク２３上部を開放することで誘導通路２３ｇを樋状に形成してもよい。
【符号の説明】
【００３２】
１…パチンコ機、２…盤面窓枠、２ｃ…ハンドル、３…外枠、４…中枠、５ａ，５ｂ…ヒンジ、７…窓、７ａ…ガラス板、８…電飾、９…遊技盤、９ａ，９ｂ…開口部、１１…ガイドレール、１２…複合入賞装置、１２ａ…可変入賞装置、１２ｂ…始動入賞口、１３…ゲート、１４…大入賞口、１５…普通入賞口、１６…庇部材、１７…ステージ、１８…遊技釘、１９…風車、２０…主表示領域、２１…遊技領域、２２…揚球装置、２２ａ…無端ベルト、２２ｂ，２２ｃ…ローラ、２２ｄ…カバー、２２ｅ…誘導樋、２３…球タンク、２３ａ…受入口、２３ｂ…排出口、２３ｃ…前側の壁面、２３ｄ…後側の壁面、２３ｅ…前側の仕切り板、２３ｆ…後側の仕切り板、２３ｇ…誘導通路、２３ｈ…底面、２４…リリース装置、２４ａ…リリース部材、２４ｂ…回転軸、２４ｃ…可動樋、２４ｄ…回転軸。
【図１】
2016198381.tif 000003
【図２】
2016198381.tif 000004
【図３】
2016198381.tif 000005